(57)【要約】【課題】  編組ステント用の拡張リングを提供する。【解決手段】  編組ステント用の拡張リングは、拡張リングを形成する複数の細長い分枝フレーム要素を有する。フレーム要素のそれぞれは、一方向に延びて接合部分において互いに連結されてフレーム要素の圧縮を可能とする支点を形成する第１及び第２の脚を有しており、また、フレーム要素のそれぞれは、編組ステントの管状本体の隙間に通されることによって接合部分が編組ステントの管状本体と係合する。フレーム要素のそれぞれは、第１及び第２の脚の端部において隣接するフレーム要素と順次連結され、拡張リングは、第１の直径を有する圧縮形態と、第１の直径よりも大きい第２の直径を有する拡張形態とを有する。【選択図】  図１Ａ
2014176655.tif 000002
【特許請求の範囲】
【請求項１】
編組ステント用の拡張リングであって、
複数の細長い分枝フレーム要素であって、該複数の細長い分枝フレーム要素のそれぞれが、該複数の細長い分枝フレーム要素の圧縮を可能とする支点を有し、該複数の細長い分枝フレーム要素のそれぞれが、該細長い分枝部材のそれぞれの一方の側の第１の方向に延びる第１及び第２の終端を有する第１及び第２の脚を含み、該複数の細長い分枝フレーム要素のそれぞれの前記第１及び第２の脚が、接合部分において互いに連結されて、それらの間に、該複数の細長い分枝フレーム要素のそれぞれの対向する第２の側に前記支点を形成し、前記接合部分が、対向する第２の方向に延びる、複数の細長い分枝フレーム要素を含み、
前記複数の細長い分枝フレーム要素のそれぞれが、前記第１及び第２の脚の前記第１及び第２の終端において前記複数の細長い分枝フレーム要素の隣接するものと順次連結されて前記拡張リングを形成し、前記複数の細長い分枝フレーム要素が、第１の直径を有する圧縮形態と、前記第１の直径よりも大きい第２の直径を有する拡張形態とを有する、
拡張リング。
【請求項２】
前記複数の細長い分枝フレーム要素のそれぞれが「Ｖ」字形状を有する、請求項１に記載の拡張リング。
【請求項３】
前記複数の細長い分枝フレーム要素のそれぞれが「Ｕ」字形状を有する、請求項１に記載の拡張リング。
【請求項４】
前記複数の細長い分枝フレーム要素のそれぞれが「Ｗ」字形状を有する、請求項１に記載の拡張リング。
【請求項５】
前記複数の細長い分枝フレーム要素のそれぞれが２重「Ｕ」字形状を有する、請求項１に記載の拡張リング。
【請求項６】
前記複数の細長い分枝フレーム要素のそれぞれの前記第１及び第２の脚が、前記接合部分において楕円曲線を形成する、請求項１に記載の拡張リング。
【請求項７】
前記複数の細長い分枝フレーム要素が、ジクザク形状のアセンブリに互いに連結されている、請求項１に記載の拡張リング。
【請求項８】
前記複数の細長い分枝フレーム要素が超弾性材料で形成されている、請求項１に記載の拡張リング。
【請求項９】
前記複数の細長い分枝フレーム要素がニッケルチタン合金で形成されている、請求項１に記載の拡張リング。
【請求項１０】
前記複数の細長い分枝フレーム要素が非超弾性材料で形成されている、請求項１に記載の拡張リング。
【請求項１１】
前記複数の細長い分枝フレーム要素がニッケル・コバルト・クロム・モリブデン合金で形成されている、請求項１に記載の拡張リング。
【請求項１２】
前記複数の細長い分枝フレーム要素がばね鋼で形成されている、請求項１に記載の拡張リング。
【請求項１３】
前記拡張リングが、前記拡張形態において形状記憶位置を有する形状記憶材料で形成されている、請求項１に記載の拡張リング。
【請求項１４】
前記第１の終端のそれぞれを、前記複数の細長い分枝フレーム要素の隣接するものの隣接する第２の終端に固定する複数の金属製バンドを更に有する、請求項１に記載の拡張リング。
【請求項１５】
前記複数の金属製バンドが、Ｘ線不透過性金属で形成されている、請求項１４に記載の拡張リング。
【請求項１６】
編組ステントであって、
近位端、遠位端、及び内腔を有する管状編組ステント本体であって、該管状編組ステント本体は複数の細長い部材から形成され、該複数の細長い部材は編組されてそれらの間に複数の隙間を形成する、管状編組ステント本体と、
前記管状編組ステント本体の前記近位端及び前記遠位端の少なくとも一方に連結された少なくとも１つの拡張リングであって、該少なくとも１つの拡張リングが、複数の細長い分枝フレーム要素の圧縮を可能とする支点をそれぞれが有する該複数の細長い分枝フレーム要素を有し、該複数の細長い分枝フレーム要素のそれぞれが、前記管状編組ステント本体の前記近位端及び前記遠位端の少なくとも一方の一部の前記隙間の少なくとも１つに通され、前記複数の細長い分枝フレーム要素のそれぞれが、前記細長い分枝部材のそれぞれの一方の側の第１の方向に延びる第１及び第２の端部を有する第１及び第２の脚を有し、該第１及び第２の脚が接合部分において共に連結されて前記細長い分枝部材のそれぞれの対向する第２の側においてそれらの間に前記支点を形成し、前記接合部分が対向する第２の方向に延び、前記複数の細長い分枝フレーム要素の前記第１の脚のそれぞれが前記管状編組ステント本体の前記管腔の内側に延び、前記複数の細長い分枝フレーム要素の前記第２の脚のそれぞれが前記管状編組ステント本体の前記管腔の外側に延びることにより、前記複数の細長い分枝フレーム要素の前記接合部分が前記管状編組ステント本体の前記隙間を通じて前記管状編組ステント本体と係合し、前記複数の細長い分枝フレーム要素のそれぞれが前記第１及び第２の脚の前記第１及び第２の終端において前記複数の細長い分枝フレーム要素の隣接するものと順次連結されることで前記少なくとも１つの拡張リングを形成し、前記少なくとも１つの拡張リングが、第１の直径を有する圧縮形態と、前記第１の直径よりも大きい第２の直径を有する拡張形態とを有する、拡張リングと、
を含む、編組ステント。
【請求項１７】
前記管状編組ステント本体が自己拡張性である、請求項１６に記載の編組ステント。
【請求項１８】
前記複数の細長い分枝フレーム要素のそれぞれが「Ｖ」字形状を有する、請求項１６に記載の編組ステント。
【請求項１９】
前記複数の細長い分枝フレーム要素のそれぞれが「Ｕ」字形状を有する、請求項１６に記載の編組ステント。
【請求項２０】
前記複数の細長い分枝フレーム要素のそれぞれが「Ｗ」字形状を有する、請求項１６に記載の編組ステント。
【請求項２１】
前記複数の細長い分枝フレーム要素のそれぞれが２重「Ｕ」字形状を有する、請求項１６に記載の編組ステント。
【請求項２２】
前記複数の細長い分枝フレーム要素のそれぞれの前記第１及び第２の脚が、前記接合部分において楕円曲線を形成する、請求項１６に記載の編組ステント。
【請求項２３】
前記複数の細長い分枝フレーム要素が、ジクザク形状のアセンブリに互いに連結されている、請求項１６に記載の編組ステント。
【請求項２４】
前記第１の終端のそれぞれが、金属製バンドによって前記複数の細長い分枝フレーム要素の隣接するものの隣接する第２の終端に固定されている、請求項１６に記載の編組ステント。
【請求項２５】
前記金属製バンドが、Ｘ線不透過性金属で形成されている、請求項１４に記載の編組ステント。
【発明の詳細な説明】
【技術分野】
【０００１】
本発明は一般的には、脈管構造内の欠陥を治療するための介入的治療処置又は血管手術用の装置に関し、より詳細には、血管疾患の治療用の編組ステントの開放端の拡張リングに関する。
【背景技術】
【０００２】
ステントは、血管内に挿入されることによって血管内部に開放路を与える管状補強材であり、閉塞した心臓動脈の血管内血管形成治療に広く用いられてきた。こうした用途では、ステントは動脈の再狭窄を防止するために血管形成術後に挿入される。これらの用途では、ステントは、膨張式バルーン、又はステントを強制的に開く機械的装置の使用によってしばしば展開され、これにより動脈壁を補強し、血管形成術後に動脈の中心に開放した貫通路を与えることで再狭窄を防止する。
【０００３】
このような手術は、血管閉塞装置が用いられる血管手術の特定の局面においては有用でありうるが、脈管構造の弱さ及び神経血管の蛇行のために、神経血管の欠陥を修復するための手術におけるこうしたステントの応用性は制限される。更に、心臓手術においてしばしば有用とされている方式のバルーン又は機械的拡張のような留置技術の使用は、血管閉塞手術、特に脳に見られるような微細な血管を治療しようとする場合には、比較的その有用性は低い。したがって、神経血管の欠陥の近傍において選択的な補強を与える一方で、血管に対する不要な外傷又は破裂のリスクを回避する、神経血管の欠陥の血管閉塞治療における技術と適合性を有するステントに対する必要性は当業者の認識するところであった。
【０００４】
編組ステントは、例えば２本以上の金属ワイア、又はポリマー繊維若しくは材料のストランドなどの複数の細長い部材から通常は形成され、神経血管の欠陥の治療において極めて有用でありうる。しかしながら、身体の管腔内において自己拡張型編組ステントを展開する際の問題点の１つとして、最初に拡張する編組ステントの端部、通常は遠位端が完全に開くように作動させることがある。最初に拡張する端部は、自己拡張型編組ステントの残りの長さが最初に拡張する端部を固定点として展開されるように、完全、容易、かつ速やかに開くことが重要である。
【０００５】
編組ワイアで形成されたステントはまた、自己拡張型編組ステントが開こうとする内在的な径方向の拡張力に抗する高い内部摩擦も一般的に有しており、これによりこうした自己拡張型編組ステントの固定及び展開における問題を生じうる。従来の自己拡張型編組ステントは、開くためにその材料、寸法、セルの設計、及び内部摩擦のみに依存しているため、一般的に最適とはいえない。このような自己拡張型編組ステントを展開させるには、自己拡張型編組ステントを完全に開かせるように使用者による余分な操作を一般的に必要とし、これにより留置の精度が影響され、手術のリスクが増す。自己拡張型編組ステントの遠位端の展開及び固定は、ステント本体の残りの部分の適正なアラインメント及び位置決めのために必要である。
【発明の概要】
【発明が解決しようとする課題】
【０００６】
治療部位に編組ステントを送達する際に、編組ステントが送達マイクロカテーテルによって拘束されなくなった時点で編組ステントが確実に完全に拡張するように編組ステントの端部に取り付けることが可能な拡張リングが提供されることが望ましい。編組ステントへの拡張リングの取り付けを簡単にする設計を有する拡張リングが提供されることが望ましい。本発明はこれら及び他の要求に応えるものである。
【課題を解決するための手段】
【０００７】
簡単かつ一般的な言い方をすると、本発明は、治療部位においてマイクロカテーテルから編組ステント本体が解放される際に編組ステント本体の拡張を促すために編組ステントの一端又は両端に取り付けることが可能であり、編組ステント本体が患者の脈管構造内でいったん展開されると確実に自己拡張するようにすることで、こうした拡張リングを有さない編組ステントと比較して、患者の脈管構造を損傷する可能性を最小化する、自己拡張型編組ステント本体と組み合わせて使用するための拡張リングを提供するものである。
【０００８】
したがって、本発明は、拡張リングが複数の細長い分枝フレーム要素から形成された編組ステント用の拡張リングを提供する。複数の細長い分枝フレーム要素のそれぞれは、細長い分枝部材のそれぞれの一方の側の第１の方向に延びる第１及び第２の終端を有する第１及び第２の脚を有し、複数の細長い分枝フレーム要素のそれぞれの第１及び第２の脚が接合部分において互いに連結されてそれらの間に１以上の支点を形成し、複数の細長い分枝フレーム要素のそれぞれの対向する第２の側において細長い分枝フレーム要素の圧縮を可能とし、接合部分が対向する第２の方向に延びることによって、複数の細長い分枝フレーム要素の圧縮を可能とする。複数の細長い分枝フレーム要素のそれぞれは、第１及び第２の脚の第１及び第２の終端において複数の細長い分枝フレーム要素の隣接するものと順次連結されて拡張リングを形成する。本発明の好ましい一態様では、複数の細長い分枝フレーム要素は、第１の幅を有する圧縮形態と、第１の幅よりも大きい第２の幅を有する拡張形態とを有する。
【０００９】
本発明の好ましい一態様では、複数の細長い分枝フレーム要素のそれぞれは「Ｖ」字形状であるが、複数の細長い分枝フレーム要素のそれぞれの第１及び第２の脚が接合部分において楕円曲線を形成した「Ｕ」字形状として複数の細長い分枝フレーム要素を形成してもよく、又は「Ｗ」字形状を有するか２重「Ｕ」字形状を有するように形成してもよく、複数の支点が細長い分枝フレーム要素の圧縮を可能とする。別の本発明の好ましい態様では、複数の細長い分枝フレーム要素は互いにジグザグ形状のアセンブリに連結される。別の本発明の好ましい態様では、複数の細長い分枝フレーム要素は、例えばニッケルチタン合金などの超弾性材料で形成されるが、複数の細長い分枝フレーム要素は非超弾性材料で形成されてもよい。別の本発明の好ましい態様では、複数の細長い分枝フレーム要素は、例えばニッケル・コバルト・クロム・モリブデン合金、又はばね鋼で形成されてもよい。別の本発明の好ましい態様では、拡張リングは、前記拡張形態において形状記憶位置を有する形状記憶材料で形成される。
【００１０】
別の本発明の好ましい態様では、第１の終端は、例えばＸ線不透過材料で形成することができる複数の金属製バンドによって複数の細長い分枝フレーム要素の隣接するものの隣接する第２の終端に固定される。
【００１１】
別の本発明の好ましい態様では、本発明は、それらの間に複数の隙間が形成されるように編組された複数の細長い部材から形成された管状編組ステント本体と、管状編組ステント本体の近位端及び遠位端の少なくとも一方に連結された少なくとも１つの拡張リングとを有する編組ステントを提供する。複数の細長い分枝フレーム要素のそれぞれは、管状編組ステント本体の近位端及び遠位端の少なくとも一方の一部の隙間の少なくとも１つに通される。本発明の好ましい一態様では、複数の細長い分枝フレーム要素のそれぞれは、細長い分枝部材のそれぞれの一方の側の第１の方向に延びる第１及び第２の終端を有する第１及び第２の脚を有し、第１及び第２の脚は接合部分において互いに連結されてそれらの間に１個以上の支点を形成することで細長い分枝フレーム要素のそれぞれの対向する第２の側における細長い分枝フレーム要素の収縮を可能とし、接合部分が対向する第２の方向に延びる。
【００１２】
複数の細長い分枝フレーム要素の第１の脚のそれぞれが管状編組ステント本体の管腔の内側に延び、複数の細長い分枝フレーム要素の第２の脚のそれぞれが管状編組ステント本体の管腔の外側に延びることにより、複数の細長い分枝フレーム要素の接合部分が管状編組ステント本体の隙間を通じて管状編組ステント本体と係合する。複数の細長い分枝フレーム要素のそれぞれが第１及び第２の脚の第１及び第２の終端において複数の細長い分枝フレーム要素の隣接するものと順次連結されることで少なくとも１つの拡張リングを形成する。＊別の本発明の好ましい態様では、少なくとも１つの拡張リングは、第１の直径を有する圧縮形態と、第１の直径よりも大きい第２の直径を有する拡張形態とを有する。別の本発明の好ましい態様では、管状編組ステント本体は自己拡張性である。
【００１３】
本発明の他の特徴及び利点は、発明の動作を例として示した付属の図面を、以下の好ましい実施形態の詳細な説明と併せ読むことでより明らかとなるであろう。
【図面の簡単な説明】
【００１４】
【図１Ａ】本発明に基づく拡張リングの「Ｖ」字形状の細長い分枝フレーム要素の平面図である。
【図１Ｂ】本発明に基づく拡張リングの「Ｕ」字形状の細長い分枝フレーム要素の平面図である。
【図１Ｃ】本発明に基づく拡張リングの「Ｗ」字形状の細長い分枝フレーム要素の平面図である。
【図１Ｄ】本発明に基づく拡張リングの２重「Ｕ」字形状の細長い分枝フレーム要素の平面図である。
【図１Ｅ】圧縮形態にある図１Ａの「Ｖ」字形状の細長い分枝フレーム要素の平面図である。
【図１Ｆ】圧縮形態にある図１Ｂの「Ｕ」字形状の細長い分枝フレーム要素の平面図である。
【図１Ｇ】圧縮形態にある図１Ｃの「Ｗ」字形状の細長い分枝フレーム要素の平面図である。
【図１Ｈ】圧縮形態にある図１Ｄの２重「Ｕ」字形状の細長い分枝フレーム要素の平面図である。
【図２Ａ】管状編組ステント本体の遠位端及び近位端に挿入された「Ｖ」字形状の細長い分枝フレーム要素の概略側面図である。
【図２Ｂ】管状編組ステント本体の遠位端及び近位端において細長い分枝フレーム要素の各脚に被せられた金属製バンドを示す図２Ａと同様の概略側面図である。
【図２Ｃ】管状編組ステント本体の遠位端及び近位端において細長い分枝フレーム要素の各脚の終端に固定されて拡張リングと管状編組ステント本体との組み合わせを完成して本発明に基づくステントを形成する金属製バンドを示す図２Ｂと同様の概略側面図である。
【図２Ｄ】図２Ｃのステントの端面図である。
【図２Ｅ】送達カテーテル内で圧縮形態にあるステントを示す図２Ｃと同様の立面図である。
【図３Ａ】管状編組ステント本体の遠位端及び近位端に挿入された「Ｗ」字形状の細長い分枝フレーム要素の概略側面図である。
【図３Ｂ】管状編組ステント本体の遠位端及び近位端において細長い分枝フレーム要素の各脚に被せられた金属製バンドを示す図３Ａと同様の概略側面図である。
【図３Ｃ】管状編組ステント本体の遠位端及び近位端において細長い分枝フレーム要素の各脚の終端に固定されて拡張リングと管状編組ステント本体との組み合わせを完成して本発明に基づくステントを形成する金属製バンドを示す図３Ｂと同様の概略側面図である。
【図３Ｄ】図３Ｃのステントの端面図である。
【図３Ｅ】送達カテーテル内で圧縮形態にあるステントを示す図２Ｅと同様の立面図である。
【発明を実施するための形態】
【００１５】
例として与えられる、限定的なものではない図面を参照すると、本発明は、管状編組ステント本体１２と組み合わせて使用することで患者の脈管構造１５を治療するためのステント１４を形成するように設計された拡張リング１０を提供する。管状編組ステント本体は、近位端１６、遠位端１８、及び内腔２０を有し、好ましくは、互いに編組されてそれらの間に複数の隙間２４を形成する複数の細長い部材２２から形成される。複数の細長い部材は、例えば２本以上の金属ワイア、又はポリマー繊維若しくは材料のストランド、又はこれらの組み合わせを含みうる。管状編組ステント本体は好ましくは自己拡張性であり、ステントを留置する際にステントを適正に拡張させて固定することを確実に行うため、１個以上の拡張リングが管状編組ステント本体の近位端及び遠位端の一方又は両方に連結される。
【００１６】
それぞれの拡張リングは、それぞれの細長い分枝部材の一方の側３６に向かう第１の方向に延びる、第１の終端３２及び第２の終端３４をそれぞれ有する第１の脚２８及び第２の脚３０を含む複数の細長い分枝フレーム要素２６から好ましくは形成されており、第１の脚と第２の脚とは接合部分３８において互いに連結されて、それぞれの細長い分枝部材の反対側の第２の側４０においてそれらの間に少なくとも１つの支点を形成するとともに対向する第２の方向に概ね延びることで、複数の細長い分枝フレーム要素を圧縮することが可能となっている。図２Ａ〜３Ｅに示されるように、細長い分枝部材のそれぞれは、好ましくは管状編組ステント本体の近位端又は遠位端の一部の隙間に通され、複数の細長い分枝フレーム要素の第１の脚のそれぞれが管状編組ステント本体の管腔の内側に延び、複数の細長い分枝フレーム要素の第２の脚のそれぞれが管状編組ステント本体の管腔の外側に延びることにより、複数の細長い分枝フレーム要素の接合部分が管状編組ステント本体の隙間を通じて管状編組ステント本体の細長い部材に引っ掛かって係合する。
【００１７】
図１Ａを参照すると、本発明の好ましい一態様では、複数の細長い分枝フレーム要素は、各脚が接合部分において例えば鋭角又は斜角などのＶ字形状の角度を形成した「Ｖ」字形状のフレーム要素４４として形成することができるが、図１Ｂに示されるように、複数の細長い分枝フレーム要素は、各脚が接合部分において例えばＵ字形状、楕円曲線、ループ又は湾曲部を形成した「Ｕ」字形状又は楕円状のフレーム要素４６として形成されてもよい。図１Ｃに示されるように、複数の細長い分枝フレーム要素は、各脚が例えば鋭角又は斜角などの２個のＶ字形状の角度が接合部分において互いに連結されてフレーム要素を圧縮するための３個の支点を形成するＷ字形状の形態をなした、「Ｗ」字形状の細長い分枝フレーム要素４８として形成することができるが、図１Ｃに示されるように、複数の細長い分枝フレーム要素は２個の連結された「Ｕ」字形状の楕円状フレーム要素５０として形成することもでき、各脚が、例えば接合部分において連結された２個のＵ字形状、楕円曲線、ループ又は湾曲部分を有する２重「Ｕ」字形状の形態を形成して、フレーム要素を圧縮するための３個の支点を形成する。複数の細長い分枝フレーム要素は、図１Ａ〜１Ｄに示されるような第１の幅を有する拡張形態と、図１Ｅ〜１Ｈに示されるような第１の幅よりも小さい第２の幅を有する圧縮形態とを好ましくは有する。この結果、ステント及び拡張リングは、特にステントが細長いプッシャー部材５１などによって、患者の脈管構造内の治療部位にカテーテルを通じて送達するための送達カテーテル４９内において拡張しないように拘束されている場合、図２Ｅ及び３Ｅに示される第１の直径を有する圧縮形態を有し、また、ステント及び拡張リングは、圧縮形態の第１の直径よりも大きい第２の直径を有する、図２Ａ〜２Ｃ及び３Ａ〜３Ｃに示されるような拡張形態を有する。
【００１８】
図２Ｂ〜２Ｅ及び３Ｂ〜３Ｅに示されるように、好ましくは、複数の細長い分枝フレーム要素は、好ましくは第１及び第２の脚の第１及び第２の終端において複数の細長い分枝フレーム要素の隣接するものと順次、互いに連結されることにより、ジグザグ状アセンブリ５２の形態のような拡張リングを形成する。複数の細長い分枝フレーム要素は、ニッケルチタン合金又はニチノールなどの超弾性材料で形成するか、又は例えばばね鋼すなわちＭＰ３５Ｎ、重量にして３５％のニッケル、３５％のコバルト、２０％のクロム、及び１０％のモリブデンの合金などの非超弾性で形成することができる。１個以上の拡張リングを形成する複数の細長い分枝フレーム要素は、拡張形態において形状記憶位置を有する形状記憶材料で形成することができる。複数の細長い分枝フレーム要素の第１の終端は、第１及び第２の脚の終端に好ましくは溶接されることによって各脚の終端にキャップ５６を形成する金属製バンド又はリング５４などによって複数の細長い分枝フレーム要素の隣接するものの隣接する第２の終端に好ましくは固定されるが、金属製バンドは、これに代えるか又はこれに加えて例えばはんだ付け又は圧着によって各脚の終端に固定することができる。金属製バンドは、白金又はタンタルなどのＸ線不透過性金属で好ましくは形成されるが、金属製バンドは例えばステンレス鋼などの非Ｘ線不透過性材料で形成することもできる。
【００１９】
以上、本発明の具体的な形態を図示及び説明したが、本発明の趣旨及び範囲を逸脱することなく様々な改変を行うことが可能である点は上記の内容より明らかであろう。したがって、添付の特許請求の範囲による以外は、本発明を限定することは意図するところではない。
【００２０】
〔実施の態様〕
（１）  編組ステント用の拡張リングであって、
複数の細長い分枝フレーム要素であって、該複数の細長い分枝フレーム要素のそれぞれが、該複数の細長い分枝フレーム要素の圧縮を可能とする支点を有し、該複数の細長い分枝フレーム要素のそれぞれが、該細長い分枝部材のそれぞれの一方の側の第１の方向に延びる第１及び第２の終端を有する第１及び第２の脚を含み、該複数の細長い分枝フレーム要素のそれぞれの前記第１及び第２の脚が、接合部分において互いに連結されて、それらの間に、該複数の細長い分枝フレーム要素のそれぞれの対向する第２の側に前記支点を形成し、前記接合部分が、対向する第２の方向に延びる、複数の細長い分枝フレーム要素を含み、
前記複数の細長い分枝フレーム要素のそれぞれが、前記第１及び第２の脚の前記第１及び第２の終端において前記複数の細長い分枝フレーム要素の隣接するものと順次連結されて前記拡張リングを形成し、前記複数の細長い分枝フレーム要素が、第１の直径を有する圧縮形態と、前記第１の直径よりも大きい第２の直径を有する拡張形態とを有する、
拡張リング。
（２）  前記複数の細長い分枝フレーム要素のそれぞれが「Ｖ」字形状を有する、実施態様１に記載の拡張リング。
（３）  前記複数の細長い分枝フレーム要素のそれぞれが「Ｕ」字形状を有する、実施態様１に記載の拡張リング。
（４）  前記複数の細長い分枝フレーム要素のそれぞれが「Ｗ」字形状を有する、実施態様１に記載の拡張リング。
（５）  前記複数の細長い分枝フレーム要素のそれぞれが２重「Ｕ」字形状を有する、実施態様１に記載の拡張リング。
【００２１】
（６）  前記複数の細長い分枝フレーム要素のそれぞれの前記第１及び第２の脚が、前記接合部分において楕円曲線を形成する、実施態様１に記載の拡張リング。
（７）  前記複数の細長い分枝フレーム要素が、ジクザク形状のアセンブリに互いに連結されている、実施態様１に記載の拡張リング。
（８）  前記複数の細長い分枝フレーム要素が超弾性材料で形成されている、実施態様１に記載の拡張リング。
（９）  前記複数の細長い分枝フレーム要素がニッケルチタン合金で形成されている、実施態様１に記載の拡張リング。
（１０）  前記複数の細長い分枝フレーム要素が非超弾性材料で形成されている、実施態様１に記載の拡張リング。
【００２２】
（１１）  前記複数の細長い分枝フレーム要素がニッケル・コバルト・クロム・モリブデン合金で形成されている、実施態様１に記載の拡張リング。
（１２）  前記複数の細長い分枝フレーム要素がばね鋼で形成されている、実施態様１に記載の拡張リング。
（１３）  前記拡張リングが、前記拡張形態において形状記憶位置を有する形状記憶材料で形成されている、実施態様１に記載の拡張リング。
（１４）  前記第１の終端のそれぞれを、前記複数の細長い分枝フレーム要素の隣接するものの隣接する第２の終端に固定する複数の金属製バンドを更に有する、実施態様１に記載の拡張リング。
（１５）  前記複数の金属製バンドが、Ｘ線不透過性金属で形成されている、実施態様１４に記載の拡張リング。
【００２３】
（１６）  編組ステントであって、
近位端、遠位端、及び内腔を有する管状編組ステント本体であって、該管状編組ステント本体は複数の細長い部材から形成され、該複数の細長い部材は編組されてそれらの間に複数の隙間を形成する、管状編組ステント本体と、
前記管状編組ステント本体の前記近位端及び前記遠位端の少なくとも一方に連結された少なくとも１つの拡張リングであって、該少なくとも１つの拡張リングが、複数の細長い分枝フレーム要素の圧縮を可能とする支点をそれぞれが有する該複数の細長い分枝フレーム要素を有し、該複数の細長い分枝フレーム要素のそれぞれが、前記管状編組ステント本体の前記近位端及び前記遠位端の少なくとも一方の一部の前記隙間の少なくとも１つに通され、前記複数の細長い分枝フレーム要素のそれぞれが、前記細長い分枝部材のそれぞれの一方の側の第１の方向に延びる第１及び第２の端部を有する第１及び第２の脚を有し、該第１及び第２の脚が接合部分において共に連結されて前記細長い分枝部材のそれぞれの対向する第２の側においてそれらの間に前記支点を形成し、前記接合部分が対向する第２の方向に延び、前記複数の細長い分枝フレーム要素の前記第１の脚のそれぞれが前記管状編組ステント本体の前記管腔の内側に延び、前記複数の細長い分枝フレーム要素の前記第２の脚のそれぞれが前記管状編組ステント本体の前記管腔の外側に延びることにより、前記複数の細長い分枝フレーム要素の前記接合部分が前記管状編組ステント本体の前記隙間を通じて前記管状編組ステント本体と係合し、前記複数の細長い分枝フレーム要素のそれぞれが前記第１及び第２の脚の前記第１及び第２の終端において前記複数の細長い分枝フレーム要素の隣接するものと順次連結されることで前記少なくとも１つの拡張リングを形成し、前記少なくとも１つの拡張リングが、第１の直径を有する圧縮形態と、前記第１の直径よりも大きい第２の直径を有する拡張形態とを有する、拡張リングと、
を含む、編組ステント。
（１７）  前記管状編組ステント本体が自己拡張性である、実施態様１６に記載の編組ステント。
（１８）  前記複数の細長い分枝フレーム要素のそれぞれが「Ｖ」字形状を有する、実施態様１６に記載の編組ステント。
（１９）  前記複数の細長い分枝フレーム要素のそれぞれが「Ｕ」字形状を有する、実施態様１６に記載の編組ステント。
（２０）  前記複数の細長い分枝フレーム要素のそれぞれが「Ｗ」字形状を有する、実施態様１６に記載の編組ステント。
【００２４】
（２１）  前記複数の細長い分枝フレーム要素のそれぞれが２重「Ｕ」字形状を有する、実施態様１６に記載の編組ステント。
（２２）  前記複数の細長い分枝フレーム要素のそれぞれの前記第１及び第２の脚が、前記接合部分において楕円曲線を形成する、実施態様１６に記載の編組ステント。
（２３）  前記複数の細長い分枝フレーム要素が、ジクザク形状のアセンブリに互いに連結されている、実施態様１６に記載の編組ステント。
（２４）  前記第１の終端のそれぞれが、金属製バンドによって前記複数の細長い分枝フレーム要素の隣接するものの隣接する第２の終端に固定されている、実施態様１６に記載の編組ステント。
（２５）  前記金属製バンドが、Ｘ線不透過性金属で形成されている、実施態様１４に記載の編組ステント。
【図１Ａ】
2014176655.tif 000003
【図１Ｂ】
2014176655.tif 000004
【図１Ｃ】
2014176655.tif 000005
【図１Ｄ】
2014176655.tif 000006
【図１Ｅ】
2014176655.tif 000007
【図１Ｆ】
2014176655.tif 000008
【図１Ｇ】
2014176655.tif 000009
【図１Ｈ】
2014176655.tif 000010
【図２Ａ】
2014176655.tif 000011
【図２Ｂ】
2014176655.tif 000012
【図２Ｃ】
2014176655.tif 000013
【図２Ｄ】
2014176655.tif 000014
【図２Ｅ】
2014176655.tif 000015
【図３Ａ】
2014176655.tif 000016
【図３Ｂ】
2014176655.tif 000017
【図３Ｃ】
2014176655.tif 000018
【図３Ｄ】
2014176655.tif 000019
【図３Ｅ】
2014176655.tif 000020
【外国語明細書】
2014176655000001.pdf